(57)【要約】【課題】電源ケーブルや操作ケーブルを必要とせず、軽量で撮影操作の良好なワイパー手段を有する撮影用レンズを提供する。【解決手段】ガラス表面に付着した水滴などを拭取るワイパー手段１を有する撮影用レンズ６において、前記ワイパー手段１と該ワイパー手段を駆動する駆動手段２が、クラッチ手段３を介して接続または切り離し可能に構成され、撮影用レンズのコントロール基板より制御されるモーターの動力を前記クラッチを介して前記ワイパー手段に伝達する。【選択図】            図１
2004279763.tif 000002
【特許請求の範囲】
【請求項１】
ガラス表面に付着した水滴などを拭取るワイパー手段を有する撮影用レンズにおいて、前記ワイパー手段と該ワイパー手段を駆動する駆動手段が、クラッチ手段を介して接続または切り離し可能に構成されていることを特徴とする撮影用レンズ。
【発明の詳細な説明】
【０００１】
【発明の属する技術分野】
本発明は、ガラスに付着した雨滴などを拭取るワイパー装置を具備した撮影用レンズに関するものである。
【０００２】
【従来の技術】
従来、撮影用レンズを屋外で使用する際は、天候や気候の変化を想定して、様々な対策を施して撮影を行っている。特に雨天や降雪の場合は、撮影用レンズのガラス表面に水滴が付着し、非常に見苦しい映像となってしまうばかりでなく、光学性能を低下させる原因にもなるため、雨天対策は屋外撮影における課題となっている。
【０００３】
このような雨天対策の一つとして、電動式のワイパー装置を用いる事が知られており、例えば、図６に示すような電動式のワイパー装置を撮影用レンズに取り付けた撮影装置が知られている。図６において、１００はテレビカメラ、１０１はパン・チルトヘッド付きの三脚、１０２は撮影用レンズ、１０３は撮影用レンズ１０２の底面に取り付けられた電動式ワイパー装置である。
また、１０４は不図示の電力源に接続するところの電動式ワイパー装置の電力供給用ケーブル、１０５は手元で遠隔操作するための信号ケーブル、１０６はワイパー動作を手元から操作するワイパーコントローラーである。
【０００４】
通常は不図示の各種コントローラーユニットを使って、ズームミングやフォーカシングなどの遠隔操作を行うと同時に、三脚のパンやチルト動作を行い、所望の被写体を撮影する。
また、撮影用レンズ１０２には機能選択、特性変更などを行う各種スイッチが設けられており、これらスイッチは利便性に応じて、撮影用レンズの内部に配置されている。従って、より高い操作性を得るため、撮影者は撮影用レンズのレンズカバーを取り外し、各種設定を変更して撮影を行っている。
【０００５】
また、ワイパー装置１０３は雨天に備えて、いつでも操作が行えるように準備されており、撮影用レンズ１０２のガラス表面に雨滴や雪が付着した場合は、ワイパーコントローラー１０６を操作して、ワイパーを動作させ、ガラス表面の水滴などを除去している。
また、特許文献１に開示されているようなワイパーユニットが提案されており、これによるとワイパー装置が駆動用モーターなどが内蔵されたワイパーユニットとして構成されている。
【特許文献１】特開平９−８０６２２号公報
【０００６】
【発明が解決しようとする課題】
しかしながら、上記図６に示すような従来例においては、該ワイパー装置は電力供給や、該ワイパー装置を撮影者の手元で操作する為のケーブル接続用コネクターが具備されており、撮影時は該ケーブルが接続されるため、軽快な撮影操作を更に困難なものにしていた。
また、前記撮影用レンズの内部に設けられた各種設定スイッチを設定するため、レンズカバーを外す際、ワイパー装置のケーブルが取り付いているため、該レンズカバーの着脱が困難になり、スイッチ操作の妨げになっていた。また、ケーブルが引っ張られてコネクターが破損したり、ケーブルが断線したりする恐れがあった。
【０００７】
また、特許文献１に開示されているような従来例のワイパーユニットにおいては、撮影用レンズに取り付けるワイパー装置は駆動用モーター、制御ＡＭＰなどが内蔵されたユニットになっているため、非常に重い装置構成となる。
これらを、更に撮影用レンズの底面側に取り付ける場合は、撮影用レンズの運搬や収納において、該撮影用レンズを支える必要があるため、堅牢な造りとなり、質量が増大する要因となっていた。そのため、軽快な撮影操作に支障をきたしていた。
さらに、ワイパー装置を着脱式にした場合には、該ワイパー装置の着脱が煩雑である上に、屋外使用の際はワイパー装置を常に携帯しておかねばならず、搬入や運用面において撮影者への負担が大きいものとなる。
【０００８】
そこで、本発明は、上記課題を解決し、電源ケーブルや操作ケーブルを必要とせず、軽量で撮影操作の良好なワイパー手段を有する撮影用レンズを提供することを目的とするものである。
【０００９】
【課題を解決するための手段】
本発明は、ガラス表面に付着した水滴などを拭取るワイパー手段を有する撮影用レンズにおいて、前記ワイパー手段と該ワイパー手段を駆動する駆動手段が、クラッチ手段を介して接続または切り離し可能に構成したものである。具体的には、撮影用レンズのコントロール基板より制御されるモーターの動力を前記クラッチを介してワイパー手段に伝達し、このワイパー手段によってガラス表面に付着した水滴などを拭取るように構成する。
これにより、天候などに左右されずに撮影用レンズを用いることが可能となり、撮影用レンズの利便性が格段に向上する。また、ワイパー手段を撮影用レンズに内蔵する構成を採ることができ、非常に簡潔な構成となり、軽量化を図ることができる。また、この軽量化により、撮影用レンズの操作性や機動性を向上させることができる。収納面においても、ワイパー手段を収納するための専用の収納箱を必要としないので、汎用性がきわめて高くなる。
また、ワイパー装置専用の電力供給用ケーブルや、ワイパー装置専用の操作ケーブルが不要となり、撮影機材の設置時間が短縮される他、高い操作性が可能となる。また、三脚操作におけるケーブル類の取り回しの煩わしさから開放されるので、撮影者は撮影に集中することができる。
加えて、ワイパー駆動の電力をレンズ本体から供給することが可能となる構成を採ることができるため、バッテリーの準備や商用電源の手配が不要となり、撮影機材が簡略化できる。
さらに、ズーミングやフォーカシングなど、従来から用いられている各種コントローラーユニットに、ワイパー操作機能を付加することも可能となり、専用のワイパーコントローラーが不要となる。とりもなおさず、機材準備の煩わしさの軽減や、運搬性の向上、コストの低減などを図ることが可能となる。
【００１０】
【発明の実施の形態】
本発明の実施の形態について、以下の実施例により説明する。
【００１１】
【実施例】
［実施例１］
図１は、本発明の実施例１における撮影用レンズのレンズカバーの一部断面図である。図１において、１はワイパー手段、２はワイパー手段を駆動するモーター、３はワイパー手段１とモーター２を連結するクラッチであり、光軸方向に連結される。４はワイパー手段の動作位置を検出する検出スイッチ、５は撮影用レンズの前面ガラス、６は撮影用レンズ、７は撮影用レンズ６のレンズ本体、８はレンズ本体７をハウジングしているレンズカバー、９はレンズ本体７にレンズカバー８を取り付けるためのロックツマミを示す。
【００１２】
同図において、一連の動作を説明すると、撮影用レンズ６は不図示のカメラに装着され、撮影が開始される。撮影用レンズ６はカメラへの取り付けと同時に電気の接続が行われる構造となっており、撮影用レンズ６に電力が供給される。
撮影用レンズ６には不図示のコントロール基板がレンズ本体に取り付けられており、各種動作の制御をおこなっている。モーター２は不図示のコントロール基板に接続されており、該モーターの制御は該コントロール基板によって行われている。モーター２の動力はクラッチ３を介してワイパー手段１に伝達される。ワイパー手段１はレンズ本体７に取り付けられた前面ガラス５の表面に接する位置で、レンズカバー８に保持されている。
ここで、前面ガラス５に付着した水滴を拭取るには、不図示のワイパー操作スイッチをＯＮにして、ワイパー動作の指令を送る。これを受けて、不図示のコントロール基板はモーター２の動作指令を送り、モーター２を作動させる。モーター２の動力はクラッチ３を介してワイパー手段１に伝達される。動力を与えられたワイパー手段１は前面ガラス５に付着した水滴を除去するべく動作する。
【００１３】
次に、ワイパー手段１を停止させるには、前記不図示のワイパー操作スイッチをＯＦＦにして、ワイパー停止の指令を送る。これを受けて、前記不図示のコントロール基板はモーター２の停止指令を送り、モーター２を停止させる。この時、コントロール基板は検出スイッチ４の信号を読み取り、ワイパー手段１の動作位置を検出する。
検出スイッチ４の信号から、ワイパー手段１の動作位置が所定の位置に無い場合は、不図示のコントロール基板はモーター２の作動を継続させて、ワイパー手段１を作動させる。ワイパー手段１が所定の位置になると、検出スイッチ４にて検出され、モーター２が停止し、拭取り動作が終了する。
【００１４】
図２は図１の撮影用レンズにおいて、レンズカバーを光軸方向にスライドさせた状態を表し、符号１〜９は図１と同構成の部分である。
図２において、１０はレンズ本体７に具備されたフックであり、ロックツマミ９と連結する。１１はレンズ本体に設けられた撮影用レンズの機能選択、特性変更などを行う各種設定スイッチである。
通常、撮影用レンズには、撮影者が好みの機能を求めて、或いは撮影状況に応じた最適な特性に変更する事を希望した際は、レンズ本体７に設けられた各種設定スイッチ１１を設定することで、それが実現できる構成になっている。
【００１５】
図２において、各種設定スイッチ１１を設定するための手順は、レンズカバー８に設けられたロックツマミ９を解除し、フック１０との連結を解除する。レンズカバー８を撮影用レンズ６の光軸方向の被写体側にスライドさせる。レンズ本体７の各種設定スイッチを操作する。設定を終えると、レンズカバー８を光軸方向カメラ側にロックツマミ９がフック１０に係るまでスライドさせる。ロックツマミ９をロックして、レンズカバー８をレンズ本体７に取り付ける。これで、各種設定スイッチの設定作業は完了する。
【００１６】
この時、ワイパー手段１はレンズカバー８に取り付けられているため、該レンズカバー８のスライドに連動して、該ワイパー手段１もスライドする。ワイパー手段１とモーター２はクラッチ３を介して光軸方向に連結されており、レンズカバー８が光軸方向の被写体側にスライドすると、クラッチ３は非連結となり、ワイパー手段１とモーター２が切り離される。
また、レンズカバー８を光軸方向カメラ側にスライドすると、クラッチ３は連結となり、ワイパー手段１とモーター２が接続されて、ワイパー動作が可能となる。
【００１７】
図３は図１における撮影用レンズの要部断面図を表し、１はワイパー手段、１ａは前面ガラス５に接した位置で保持されたワイパーブレード、１ｂはワイパーを駆動するための動力を伝えるワイパーアームであり、その一端にはワイパーブレード１ａが取り付けられている。２はレンズ本体７に取り付けられ、不図示のコントロール基板に電気的に接続されるモーター、１２はモーター２と検出スイッチ４をレンズ本体７に取り付けるアタッチメント、１３はモーター２の出力軸にピン１４で固定され、前述の図１に示すクラッチ３に連結する連結軸、１３ａは連結軸１３に設けられた、連結軸１３の回転位置を表す指標部、１３ｂは連結軸１３に具備された連結ピン、４は連結軸１３の回転位置に対応してＯＮ−ＯＦＦを行う検出スイッチである。
【００１８】
また、５は前面ガラス、７はレンズ本体、８はレンズカバー、８ａはレンズカバー８を構成する一部であり、レンズ本体７の先端部が貫通するように配置されたカバー前板である。１５は連結ピン１３ｂと切欠き溝１５ａで回転軸方向に嵌め合い、軸方向にバネで付勢されたクラッチリングであり、１５ａはクラッチリング１５の端面方向に貫通し、連結ピン１３ｂと嵌め合う切欠き溝である。
１７は回転自在に保持され、その一端にワイパーアーム１ｂが取り付けられたアーム軸であり、１５ｂはクラッチリング１５に設けられ、該クラッチリング１５をアーム軸１７に対する回転を規制するための直線カムである。
１７ａはアーム軸１７に設けられ、直線カム１５ｂに嵌め合う規制ピンである。１６はクラッチリング１５を軸方向に付勢するバネ、１８はベアリングである。１９はレンズカバー８に一体的に設けられた、アーム軸１７を保持するワイパー台である。
【００１９】
図３において、不図示のコントロール基板から回転指令を受けたモーター２が回転すると、連結軸１３が回転する。連結軸１３はその先端に連結ピン１３ｂが具備されており、クラッチリング１５の切欠き溝１５ａに嵌め合っている。これによりモーター２の回転はクラッチリング１５に伝達される。この時、連結ピン１３ｂと切欠き溝１５ａが嵌め合う回転位置は決められている。
クラッチリング１５は規制ピン１７ａを介してアーム軸１７に嵌め合っており、該クラッチリング１５の回転がアーム軸１７に伝達される。アーム軸１７はその一端にワイパーアーム１ｂが取り付けられ、ベアリング１８とワイパー台１９に回転自在に保持されている。
【００２０】
また、アーム軸１７の回転は不図示のリンク機構によりワイパーアーム１ｂに連結されており、アーム軸１７が回転するとワイパーアーム１ｂが作動する。ワイパーアーム１ｂは、その一端にワイパーブレード１ａが前面ガラス５に接した位置で取り付けられている。これにより、ワイパーアーム１ｂが作動するとワイパーブレード１ａによって、前面ガラス５の表面の水滴が除去される。ここで、ワイパー手段１の動作位置はクラッチリング１５により連結軸１３の回転位置と一致しているので、検出スイッチ４にて指標部１３ａの回転位置を検出する事により、ワイパー手段１の動作位置が検出可能となる。
【００２１】
一方、レンズカバー８を光軸方向の被写体側にスライドさせると、ワイパー手段１も光軸方向にスライドする。同時にクラッチリング１５もスライドし、切欠き溝１５ａと連結ピン１３ｂの嵌め合いがレンズカバー８のスライド方向に切り離される。
レンズカバー８を光軸方向カメラ側にスライドすると、同様にして、クラッチリング１５がスライドする。この時、切欠き溝１５ａと連結ピン１３ｂの回転位置が異なると、嵌め合いは成立せず、連結ピン１３ｂがクラッチリング１５の端面に干渉するが、クラッチリング１５はバネ１６によって軸方向に付勢されているので、干渉してもバネが圧縮するので、レンズカバー８のスライドを妨げることはない。
また、このような状態であっても、モーター２を回転させれば、切欠き溝１５ａと連結ピン１３ｂの回転位置が一致し、バネ１６に付勢されたクラッチリング１５がスライドして嵌め合いが成立する。従って、ワイパー手段１とモーター２が連結されなくても、ワイパー機能が損なわれることはない。
【００２２】
［実施例２］
図４は、本発明の実施例２における撮影用レンズの要部の断面図であり、図１と同じ部分には同一符号が付されている。図４において、１はワイパー手段、１ａは前面ガラス５に接した位置で保持されたワイパーブレード、１ｂはワイパーを駆動するための動力を伝えるワイパーアームであり、その一端にはワイパーブレード１ａが取り付けられている。
２はレンズ本体７に取り付けられ、不図示のコントロール基板に電気的に接続されるモーター、４は入力軸２２の回転位置に対応してＯＮ−ＯＦＦを行う検出スイッチである。５は前面ガラス、７はレンズ本体、８はレンズカバー、８ａはレンズカバー８を構成する一部であり、レンズ本体７の先端部が貫通するように配置されたカバー前板である。
【００２３】
また、１２はモーター２と検出スイッチ４をレンズ本体７に取り付けるアタッチメントであり、２１はクラッチである。２０はモーター２の出力軸に嵌め合い、軸方向にバネ２４で付勢されたクラッチ軸であり、２０ｂはクラッチ軸２０に設けられ、該クラッチ軸２０のモーター軸に対する回転を規制するための直線カムである。
２０ａはクラッチ軸２０の先端部に一体に設けられ、回転軸に対称に設けられた並行部であり、２ａはモーター２の出力軸に設けられ、直線カム２０ｂに嵌め合う規制ピンである。２４はクラッチ軸２０を軸方向に付勢するバネであり、１７は回転自在に保持され、その一端にワイパーアーム１ｂが取り付けられたアーム軸である。１８はベアリング、１９はレンズカバー８に一体的に設けられた、アーム軸１７を保持するワイパー台である。
２２はアーム軸１７に固定され、平行溝２２ｂと指標部２２ａが設けられた入力軸であり、２２ａは入力軸２２に一体に設けられた指標部である。２２ｂは入力軸２２に一体に設けら、回転軸に対称に設けられた並行溝であり、２３はアーム軸１７と入力軸２２を固定する固定ピンである。
【００２４】
図４において、不図示のコントロール基板から回転指令を受けたモーター２が回転すると、クラッチ軸２０が回転する。クラッチ軸２０はその先端に並行部２０ａが設けられており、入力軸２２の平行溝２２ｂに嵌め合っている。これによりモーター２の回転は入力軸２２に伝達される。
入力軸２２とアーム軸１７は固定ピン２３で固定されているので、該入力軸２２が回転するとアーム軸１７が回転する。アーム軸１７はその一端にワイパーアーム１ｂが取り付けられ、ベアリング１８とワイパー台１９に回転自在に保持されている。
【００２５】
また、アーム軸１７の回転は不図示のリンク機構によりワイパーアーム１ｂに連結されており、アーム軸１７が回転するとワイパーアーム１ｂが作動する。ワイパーアーム１ｂは、その一端にワイパーブレード１ａが前面ガラス５に接した位置で取り付けられている。これにより、ワイパーアーム１ｂが作動するとワイパーブレード１ａによって、前面ガラス５の表面の水滴が除去される。ここで、ワイパー手段１の動作位置は入力軸２２に設けられた指標部２２ａと同期しており、検出スイッチ４にて指標部２２ａの回転位置を検出する事により、ワイパー手段１の動作位置が検出可能となる。
【００２６】
一方、レンズカバー８を光軸方向の被写体側にスライドさせると、ワイパー手段１も光軸方向にスライドする。同時に入力軸２２もスライドし、並行部２０ａと平行溝２２ｂの嵌め合いがレンズカバー８のスライド方向に切り離される。レンズカバー８を光軸方向カメラ側にスライドすると、同様にして、入力軸２２がスライドする。この時、並行部２０ａと平行溝２２ｂの回転位置が異なると、嵌め合いは成立せず、並行部２０ａの端面が入力軸２２に干渉するが、クラッチ軸２０はバネ２４によって軸方向に付勢されているので、干渉してもバネが圧縮するので、レンズカバー８のスライドを妨げることはない。
また、このような状態であっても、モーター２を回転させれば、並行部２０ａと平行溝２２ｂの嵌め合い位置が一致し、バネ２４に付勢されたクラッチ軸２０がスライドして嵌め合いが成立する。従って、ワイパー手段１とモーター２が連結されなくても、ワイパー機能が損なわれることはない。
【００２７】
［実施例３］
図５は、本発明の実施例３における撮影用レンズの要部断面図であり、図１と同じ部分には同一符号が付されている。
図５において、１はワイパー手段、１ａは前面ガラス５に接した位置で保持されたワイパーブレード、１ｂはワイパーを駆動するための動力を伝えるワイパーアームであり、その一端にはワイパーブレード１ａが取り付けられている。
２はレンズ本体７に取り付けられ、不図示のコントロール基板に電気的に接続されるモーターであり、４は磁石枠２７の回転位置に対応してＯＮ−ＯＦＦを行う検出スイッチである。５は前面ガラス、７はレンズ本体、８はレンズカバーである。
８ａはレンズカバー８を構成する一部であり、レンズ本体７の先端部が貫通するように配置されたカバー前板であり、１２はモーター２と検出スイッチ４をレンズ本体７に取り付けるアタッチメントである。
２５は回転自在に保持され、その一端にワイパーアーム１ｂが取り付けられ、もう一方の端にＤ形状の平行部２５ａを有するアーム軸である。
【００２８】
また、１８はベアリング、１９はレンズカバー８に一体的に設けられた、アーム軸２５を保持するワイパー台である。２６はアーム軸２５の軸方向にバネ特性を有し、該アーム軸２５に固定された面バネであり、２７は面バネ２６に固定され、端面に指標部２７ａを具備する磁石枠である。２８は磁石枠２７に固定された入力磁石、２９は入力磁石２９と吸着する出力磁石、３０はモーター２の出力軸に固定され、その端面に入力磁石２９が取り付けられた出力軸である。３１は出力軸３０をモーター２の出力軸に固定するセットビスである。
【００２９】
図５において、不図示のコントロール基板から回転指令を受けたモーター２が回転すると、出力軸３０が回転する。出力軸３０には出力磁石２９が設けられており、該出力磁石２９は入力磁石２８と十分な摩擦力を持って吸着するように構成されている。入力磁石２８は磁石枠２７に固定されているので、出力軸３０の回転は磁石枠２７に伝達される。
磁石枠２７は面バネ２６を介してアーム軸２５に固定されているので、該磁石枠２７が回転するとアーム軸２５が回転する。アーム軸１７はその一端にワイパーアーム１ｂが取り付けられ、ベアリング１８とワイパー台１９に回転自在に保持されている。
【００３０】
また、アーム軸１７の回転は不図示のリンク機構によりワイパーアーム１ｂに連結されており、アーム軸１７が回転するとワイパーアーム１ｂが作動する。ワイパーアーム１ｂは、その一端にワイパーブレード１ａが前面ガラス５に接した位置で取り付けられている。これにより、ワイパーアーム１ｂが作動するとワイパーブレード１ａによって、前面ガラス５の表面の水滴が除去される。ここで、ワイパー手段１の動作位置は磁石枠２７に設けられた指標部２７ａと同期しており、検出スイッチ４にて指標部２７ａの回転位置を検出する事により、ワイパー手段１の動作位置が検出可能となる。
【００３１】
一方、レンズカバー８を光軸方向の被写体側にスライドさせると、ワイパー手段１も光軸方向にスライドする。同時に磁石枠２７もスライドし、出力磁石２９と入力磁石２８の吸着が切り離される。
レンズカバー８を光軸方向カメラ側にスライドすると、同様にして、磁石枠２７がスライドし、出力磁石２９と入力磁石２８が吸着される。この時、出力磁石２９と入力磁石２８の吸着方向の位置誤差は面バネ２６が前記吸着方向に変形することにより吸収されるようになっており、ワイパー手段１とモーター２の連結が損なわれる事は無い。
また、回転方向の角度がずれた状態で前記出力磁石２９と入力磁石２８が吸着しても、ワイパー手段１の位置は指標部２７ａと同期しているので、ワイパー手段１の動作位置が変化することは無い。
なお、出力磁石２９と入力磁石２８のいずれか一方は磁性体に置き換えても良い。また、面バネ２６をアーム軸２５に対して回転を規制された、該アーム軸２５の軸方向にスライド可能な、バネで付勢された構成に置き換えても良い。
【００３２】
本願発明の実施の態様として、以下のような実施態様例を列挙することができる。
【実施態様１】ガラス表面に付着した水滴などを拭取るワイパー手段を有する撮影用レンズにおいて、前記ワイパー手段と該ワイパー手段を駆動する駆動手段が、クラッチ手段を介して接続または切り離し可能に構成されていることを特徴とする撮影用レンズ。
【実施態様２】前記ワイパー手段と該ワイパー手段の接続または切り離しが、前記撮影用レンズのレンズカバーの着脱操作に連動するように構成されていることを特徴とする実施態様１に記載の撮影用レンズ。
【実施態様３】前記ワイパー手段と前記駆動手段が切り離されている状態において、前記レンズカバーを撮影用レンズへ装着することができ、且つ前記駆動手段を動作させることによって前記ワイパー手段と前記駆動手段の接続ができるように構成されていることを特徴とする実施態様１または実施態様２に記載の撮影用レンズ。
【実施態様４】前記クラッチ手段は、前記レンズカバーの着脱方向に連結されることを特徴とする実施態様１〜３のいずれかに記載の撮影用レンズ。
【実施態様５】前記クラッチ手段は、弾性部材にて付勢された噛み合い部材が前記レンズカバーの着脱方向に移動して連結されることを特徴とする実施態様１〜４のいずれかに記載の撮影用レンズ。
【実施態様６】前記クラッチ手段は、磁力により連結されることを特徴とする実施態様１〜４のいずれかに記載の撮影用レンズ。
【実施態様７】前記駆動手段はモーターで構成され、該モーターの電力は前記レンズ本体より供給されることを特徴とする実施態様１〜６のいずれかに記載の撮影用レンズ。
【実施態様８】前記ワイパー手段は、前記ワイパー手段の動作位置を検出する検出手段からの出力に基づいて、前記撮影用レンズに設けられた操作スイッチ、或いは前記撮影用レンズに接続された該撮影用レンズの遠隔操作用コントローラーによって制御されるように構成されていることを特徴とする実施態様１〜７のいずれかに記載の撮影用レンズ。
【００３３】
【発明の効果】
本発明によれば、電源ケーブルや操作ケーブルを必要とせず、軽量で撮影操作の良好なワイパー手段を有する撮影用レンズを実現することができる。
【図面の簡単な説明】
【図１】本発明の実施例１における撮影用レンズのレンズカバーの一部断面図。
【図２】図１において、レンズカバーを光軸方向にスライドさせた状態を表した図。
【図３】図１における撮影用レンズの要部断面図。
【図４】本発明の実施例２における撮影用レンズの要部断面図。
【図５】本発明の実施例３における撮影用レンズの要部断面図。
【図６】従来例を示した、電動式のワイパー装置を取り付けた撮影装置の全体構成を表した図。
【符号の説明】
１：ワイパー手段
１ａ：ワイパーブレード
１ｂ：ワイパーアーム
２：モーター
２ａ：規制ピン
３、２１：クラッチ
４：検出スイッチ
５：前面ガラス
６、１０２：撮影用レンズ
７：レンズ本体
８：レンズカバー
８ａ：カバー前板
９：ロックツマミ
１０：フック
１１：各種設定スイッチ
１２：アッタチメント
１３：連結軸
１３ａ、２２ａ、２７ａ：指標部
１３ｂ：連結ピン
１５：クラッチリング
１５ａ：切欠き溝
１５ｂ：直線カム
１６：バネ
１７：アーム軸
１８：ベアリング
１９：保持台
２０：クラッチ軸
２０ａ：並行部
２０ｂ：直線カム
２２：入力軸
２２ｂ：並行溝
２３：固定ピン
２４：バネ
２５：アーム軸
２６：面バネ
２７：磁石枠
２８：入力磁石
２９：出力磁石
３０：出力軸
３１：セットビス
１００：テレビカメラ
１０１：三脚
１０３：電動式ワイパー装置
１０４：電力供給用ケーブル
１０５：信号ケーブル
１０６：ワイパーコントローラー
【図１】
2004279763.tif 000003
【図２】
2004279763.tif 000004
【図３】
2004279763.tif 000005
【図４】
2004279763.tif 000006
【図５】
2004279763.tif 000007
【図６】
2004279763.tif 000008